(57)【要約】【課題】高気圧で快適な気密空間を実現可能な優れた高気圧酸素カプセルを提供する。【解決手段】開成状態または閉塞状態をとり閉塞状態では内部に高気圧で人体或いは動物を収容し得る気密空間Ｓを形成可能な剛体のカプセル本体１及び蓋体２と、前記カプセル本体１の縁部と前記蓋体２の縁部との間に配される弾性変形可能なシール部材３と、前記蓋体２を、前記各縁部に設けた凹凸形状を利用しながら前記シール部材３を押圧する閉塞位置（Ｐ２）又は押圧解除する開成位置（Ｐ１）に位置付けるための開閉操作部４とを具備して成るようにした。【選択図】図６
2007202995.tif 000002
【特許請求の範囲】
【請求項１】
開成状態または閉塞状態をとり閉塞状態では内部に高気圧で人体或いは動物を収容し得る気密空間を形成可能な剛体の本体及び蓋体と、
前記本体の縁部と前記蓋体の縁部との間に配される弾性変形可能なシール部材と、
前記蓋体を、前記各縁部に設けた凹凸形状を利用しながら前記シール部材を押圧する閉塞位置又は押圧解除する開成位置に位置付けるための開閉操作部とを具備して成ることを特徴とする高気圧酸素カプセル。
【請求項２】
前記本体および前記蓋体の少なくとも一方に、外部の酸素供給装置から、高気圧の酸素を含有した高気圧酸素含有空気の供給を受けるための供給口を設けていることを特徴とする請求項１記載の高気圧酸素カプセル。
【請求項３】
前記酸素供給装置が、高気圧で高濃度の酸素を含有した高気圧高濃度酸素含有空気を供給し得るものであることを特徴とする請求項２記載の高気圧酸素カプセル。
【請求項４】
前記本体および前記蓋体のうち、少なくとも一方がＦＲＰ製であることを特徴とする請求項１乃至３いずれか記載の高気圧酸素カプセル。
【請求項５】
前記蓋体が、薄肉状で合成樹脂製又はＦＲＰ製の蓋側胴部と、この蓋側胴部を補強する複数の補強リブとを具備するものであることを特徴とする請求項１乃至４いずれか記載の高気圧酸素カプセル。
【請求項６】
前記気密空間が、１人を収容し得る程度の大きさの空間であることを特徴とする請求項１乃至５いずれか記載の高気圧酸素カプセル。
【請求項７】
請求項１乃至６いずれか記載の高気圧酸素カプセルに用いられるシール構造であって、
開成状態または閉塞状態をとり閉塞状態では内部に高気圧で人体或いは動物を収容し得る気密空間を形成可能な剛体の本体及び蓋体の各縁部間に配され且つ弾性変形可能なシール部材と、
前記蓋体を、前記各縁部に設けた凹凸形状を利用しながら前記シール部材を押圧する閉塞位置又は押圧解除する開成位置に位置付けるための開閉操作部とを具備して成ることを特徴とする高気圧酸素カプセル用シール構造。
【請求項８】
前記本体側の凹凸形状と前記蓋体側の凹凸形状とが、互いに嵌め合い可能な凹凸形状であることを特徴とする請求項７記載の高気圧酸素カプセル用シール構造。
【請求項９】
前記本体の縁部が、前記シール部材を保持する嵌合凹部を有する一方、
前記蓋体の縁部が、前記嵌合凹部の幅方向へがたつくことを規制されながらその嵌合凹部に嵌まり込み得る嵌合凸部を有するものであることを特徴とする請求項８記載の高気圧酸素カプセル用シール構造。
【請求項１０】
前記本体の縁部が、前記嵌合凹部の内側に、前記嵌合凹部の底面よりもさらに窪ませた内側窪部を有する一方、
前記蓋体の縁部が、前記嵌合凸部の内側に、前記嵌合凸部の先端よりもさらに膨出させてなり且つ前記内側窪部に沿って配され得る内側膨出部を有するものであることを特徴とする請求項９記載の高気圧酸素カプセル用シール構造。
【請求項１１】
前記開閉操作部が、フックと、このフックに係止され得るアームと、このアームを前記フックに係止または係止解除される位置に操作するための操作レバーと、この操作レバーを支持するベースとを備えるものであり、前記フックおよびベースのうち一方を前記本体に設け、他方を前記蓋体に設けていることを特徴とする請求項７乃至１０いずれか記載の高気圧酸素カプセル用シール構造。
【発明の詳細な説明】
【技術分野】
【０００１】
本発明は、高気圧状態で酸素含有空気を人体や動物に供給する高気圧酸素カプセル及びこの高気圧酸素カプセルに用いる高気圧酸素カプセル用シール構造に関するものである。
【背景技術】
【０００２】
従来から、高気圧状態で酸素を含有した酸素含有空気を人体に対して供給して、高気圧酸素処方を好適に実施するように構成した酸素供給システムが知られている。
【０００３】
具体的にこの種の酸素供給システムは、人が入れる程度の内部空間を有するカプセルと、酸素供給装置と、これらカプセルと酸素供給装置とを連結する連結パイプとを主に具備して成る。
【０００４】
そして、カプセルは、大気圧よりも気圧が高い高気圧状態に維持された密閉空間を内部に構成し得るように、その内側にシーリングされた布材を用いるとともに、一方の妻面には複数の酸素供給／排出口を設けた構成とされている（例えば、特許文献１参照。）。
【特許文献１】実用新案登録第３１０７６２５号
【発明の開示】
【発明が解決しようとする課題】
【０００５】
ところがこのような従来の構成では、布材でシーリングをしているとは言うものの、内部を高気圧にすれば、空気漏れを起こしてしまい、常に一定の高気圧状態を保つことが困難であるといった問題点を有している。
【０００６】
本発明は、このような課題に着目してなされたものであって、主たる目的は、空気漏れを好適に防止して高気圧で快適な気密空間を実現可能な高気圧酸素カプセルを提供することにある。
【課題を解決するための手段】
【０００７】
すなわち本発明にかかる高気圧酸素カプセルは、開成状態または閉塞状態をとり閉塞状態では内部に高気圧で人体或いは動物を収容し得る気密空間を形成可能な剛体の本体及び蓋体と、前記本体の縁部と前記蓋体の縁部との間に配される弾性変形可能なシール部材と、前記蓋体を、前記各縁部に設けた凹凸形状を利用しながら前記シール部材を押圧する閉塞位置又は押圧解除する開成位置に位置付けるための開閉操作部とを具備して成ることを特徴とする。
【０００８】
このようなものであれば、各縁部に設けた凹凸形状を利用しながらシール部材を押圧しているので、例えば、内外の圧力差によってシール部材の位置がずれてしまうことを防いで、縁部間からの空気漏れを好適に防止でき、また、剛体の本体及び蓋体によって気密空間の変形も無く出入りを容易に行え且つ気密空間内に居るときも快適である等といった、高気圧で快適な気密空間を実現可能な優れた高気圧酸素カプセルを提供することができる。
【０００９】
なお、前記本体および前記蓋体の少なくとも一方に、外部の酸素供給装置から、高気圧の酸素を含有した高気圧酸素含有空気の供給を受けるための供給口を設けているのであれば、酸素供給装置のメンテナンスを当該高気圧酸素カプセルとは独立して行うことができ、また、当該高気圧酸素カプセルの大型化重量化を防止して運搬や設置を容易にできるなど、酸素供給装置を一体としたものと比べて取扱性に優れたものとすることができる。
【００１０】
前記酸素供給装置が、高気圧で高濃度の酸素を含有した高気圧高濃度酸素含有空気を供給し得るものであれば、例えば、高気圧下で高濃度酸素を必要とする医療分野などにも利活用することができる。
【００１１】
一般に流通している材料を使用してコストダウンを図りつつ強度を確保するには、前記本体および前記蓋体のうち、少なくとも一方がＦＲＰ製であることが好ましい。
【００１２】
軽量化を実現しながら、蓋側胴部の変形を防止して空気漏れを防ぐには、前記蓋体が、薄肉状で合成樹脂製又はＦＲＰ製の蓋側胴部と、この蓋側胴部を補強する複数の補強リブとを具備するものであることが望ましい。
【００１３】
前記気密空間が、１人を収容し得る程度の大きさの空間であれば、高気圧酸素カプセルの無用な大型化を防止して取扱性を向上でき、また、酸素供給装置における無用な負荷がかかるのを防止することができる。
【００１４】
本発明の高気圧酸素カプセル用シール構造の望ましい態様としては、この高気圧酸素カプセル用シール構造が、上述の高気圧酸素カプセルに用いられるシール構造であって、開成状態または閉塞状態をとり閉塞状態では内部に高気圧で人体或いは動物を収容し得る気密空間を形成可能な剛体の本体及び蓋体の各縁部間に配され且つ弾性変形可能なシール部材と、前記蓋体を、前記各縁部に設けた凹凸形状を利用しながら前記シール部材を押圧する閉塞位置又は押圧解除する開成位置に位置付けるための開閉操作部とを具備して成るものが挙げられる。
【００１５】
このようなものであれば、各縁部に設けた凹凸形状を利用しながらシール部材を押圧しているので、例えば、内外の圧力差によってシール部材の位置がずれてしまうことを防いで、縁部間からの空気漏れを好適に防止できるなど、高気密なシール性能を発揮可能なシール構造を提供することができる。
【００１６】
前記本体側の凹凸形状と前記蓋体側の凹凸形状とが、互いに嵌め合い可能な凹凸形状であれば、本体側と蓋体側とを嵌め合いしないものと比べて、より高気密なシール性能を奏することができる。
【００１７】
前記本体の縁部が、前記シール部材を保持する嵌合凹部を有する一方、前記蓋体の縁部が、前記嵌合凹部の幅方向へがたつくことを規制されながらその嵌合凹部に嵌まり込み得る嵌合凸部を有するものであれば、簡単な構成でありながら、有効なシール効果を得られる。
【００１８】
さらに有効なシール効果を得るには、前記本体の縁部が、前記嵌合凹部の内側に、前記嵌合凹部の底面よりもさらに窪ませた内側窪部を有する一方、前記蓋体の縁部が、前記嵌合凸部の内側に、前記嵌合凸部の先端よりもさらに膨出させてなり且つ前記内側窪部に沿って配され得る内側膨出部を有するものであることが好ましい。
【００１９】
前記開閉操作部が、フックと、このフックに係止され得るアームと、このアームを前記フックに係止または係止解除される位置に操作するための操作レバーと、この操作レバーを支持するベースとを備えるものであり、前記フックおよびベースのうち一方を前記本体に設け、他方を前記蓋体に設けているのであれば、操作レバーを操作してフックとアームとを係止する位置に位置付ければ、例えば気密空間が高気圧になっても、フックとアームとによって本体と蓋体との間に隙間が形成されることを防止できる。したがって、簡単な構成でありながら、気密空間内の気圧を好適に保つことができる。
【発明の効果】
【００２０】
このように本発明に係る高気圧酸素カプセルは、各縁部に設けた凹凸形状を利用しながらシール部材を押圧しているので、例えば、内外の圧力差によってシール部材の位置がずれてしまうことを防いで、縁部間からの空気漏れを好適に防止でき、また、剛体の本体及び蓋体によって気密空間の変形も無く出入りを容易に行え且つ気密空間内に居るときも快適である等といった、高気圧で快適な気密空間を実現可能な優れた高気圧酸素カプセルを提供することができる。
【発明を実施するための最良の形態】
【００２１】
以下に本発明の一実施形態について図面を参照して説明する。
【００２２】
本実施形態に係る高気圧酸素カプセルＡは、図１、図２、図３に示すように、略箱体状で人体を載置可能な載置部１１を有するカプセル本体１（本発明の「本体」に相当）と、このカプセル本体１の反使用端側にヒンジ（図示せず）を介して取り付けられ且つカプセル本体１に対して開成する開成位置（Ｐ１）または閉塞する閉塞位置（Ｐ２）に操作される外観視略部分円柱状（換言すると略かまぼこ状）の蓋体２と、カプセル本体１の縁部と蓋体２の縁部との間に配される弾性変形可能なシール部材３と、カプセル本体１及び蓋体２の使用端側に設けて成り、蓋体２を開成位置（Ｐ１）又は閉塞位置（Ｐ２）に位置付けるための４つの開閉操作部４（図１では略）と、カプセル本体１と蓋体２との間に設けられ蓋体２を開成させる方向に付勢するダンパ（図示せず）とを具備するものである。そして、本実施形態では、後述する外部の酸素供給装置Ｂから、高気圧で高濃度の酸素を含有した高気圧高濃度酸素含有空気の供給を受けるために、蓋体２に空気供給口を３箇所設けるとともに、空気排出口を１箇所設けている（ともに図示せず）。加えて、空気供給口／空気排出口の内の１つには、カプセル内部の気圧が所定以上となった場合に、カプセル内部の気圧を減圧し得る調節弁が設けられている。なお、高気圧酸素カプセルＡと酸素供給装置Ｂとを別体としているが、これらを一体に構成することを妨げない。また、蓋体２を閉塞位置（Ｐ２）に位置付けた際に、カプセル本体１と蓋体２とで形成される内部の気密空間Ｓが、横たわった成人を１人収容し得る程度の大きさの空間となるように、カプセル本体１及び蓋体２の寸法を設定してるが、これらの寸法は、実施態様に応じて適宜変更可能である。
【００２３】
以下、各部を具体的に説明する。
【００２４】
カプセル本体１は、図２、図３などに示すように、平面視略矩形状の載置部１１と、この載置部１１の四辺をそれぞれ支持する周壁部１２とを具備し、これら各部をＦＲＰ（Fiberglass Reinforced Plastics）により一体に形成して成る。より具体的に載置部１１は、平面視略矩形状で薄板状の載置板１１１と、この載置板１１１の各端縁から内側に変位させた位置において上方へ数ｃｍ程度膨出させた厚肉部１１２とを具備している。そして、厚肉部１１２の奥行き寸法と載置板１１１の奥行き寸法とを略一致させるとともに、この厚肉部１１２の上端縁を概観視略部分円弧状に形成することで、人体を載置した際の載置板１１１の撓みを防止するようにしている。また、載置板１１１の縁部と厚肉部１１２との間で後述するダンパの基端部を支持するように構成している。また、載置部１１には、使用者がカプセル内で快適に横になることができるように、マット１Ｍを載置させている。このマット１Ｍは、例えば、弾力性を有するウレタンを主体としたもの等、実施態様に応じて適宜なものを用いることができる。また、マット１Ｍを用いなくてもよい。加えて、載置板１１１の裏面には、剛性を確保するためのリブ（図示せず）を適宜設けている。一方、周壁部１２の上端側の縁部には、シール部材３を保持する嵌合凹部１２１と、この嵌合凹部１２１の内側に、該嵌合凹部１２１の底面１２１ａよりもさらに下方へ窪ませた内側窪部１２２とを形成している。
【００２５】
蓋体２は、図２、図４などに示すように、平面視略矩形状の開口部を有し且つ長手方向に沿って各部等断面略部分円弧状を成す蓋側胴部２１と、この蓋側胴部２１を補強する複数の補強リブ２２とを具備し、これら各部をＦＲＰにより一体に形成して成る。そして、この蓋側胴部２１の縁部には、嵌合凹部１２１の幅方向へがたつくことを規制されながらその嵌合凹部１２１に嵌まり込み得る嵌合凸部２１１と、この嵌合凸部２１１の内側に、該嵌合凸部２１１の先端２１１ａよりもさらに膨出させてなり且つ内側窪部１２２に沿って配され得る内側膨出部２１２とを形成している。また、蓋側胴部２１の一端側（カプセル本体１内で横たわる使用者の頭部と対応する位置）には、覗き窓２１３を設けている。この覗き窓２１３は、略透明なアクリル板を用いて形成しているが、使用する材料等は適宜変更可能である。また、覗き窓２１３を設けなくても良い。また、この蓋体２の外側の使用側縁に沿って、ハンドル２Ｈ（図１では略）を設けているが、取付位置などは実施態様に応じて適宜変更可能である。加えて、この蓋体２の内側には、外部のオペレータと通話するための電話機と、制御回路の制御を緊急停止するための緊急停止ボタン（ともに図示せず）とを設けているが、これらをカプセル本体１側に設けることを妨げない。
【００２６】
シール部材３は、図３、図５、図６に示すように、略円環状を成し、カプセル本体１の縁部と蓋体２の縁部との間に配される弾性変形可能なものである。本実施形態では、チューブ状でゴム製のものを用いている。なお、このシール部材３は、例えば、中実状のものを用いたりする等、断面形状は実施態様に応じて適宜変更可能である。また、材質も例えばシリコン製のものとするなど適宜で構わない。
【００２７】
開閉操作部４は、図２、図５、図６に示すように、金属製のフック４１と、このフック４１に係止され得る金属製のアーム４２と、このアーム４２を前記フック４１に係止される係止位置（Ｑ１）または係止解除され得る係止解除可能位置（Ｑ２）または完全に係止解除される係止解除位置（Ｑ３）（図示せず）に操作するための金属製の操作レバー４３と、この操作レバー４３を支持する金属製のベース４４とを備える一般にキャッチクリップと呼ばれるものであって、本実施形態では、ベース４４をカプセル本体１に設け、フック４１を蓋体２に設けている。また、これらベース４４とフック４１との取付位置は、操作レバー４３を操作して、アーム４２をフック４１側に引き寄せて係止位置（Ｑ１）に位置付けたときに、カプセル本体１に設けた嵌合凹部１２１と、蓋体２に設けた嵌合凸部２１１とが、嵌り合う所定の位置となるように、各取付位置を設定している。
【００２８】
酸素供給装置Ｂは、酸素ボンベ（図示せず）と、この酸素ボンベ内の酸素の高気圧酸素カプセルＡへの供給を制御回路（図示せず）と、この制御回路を操作するためのコントロールパネルＢ１（図７参照）とを具備するものである。
【００２９】
より具体的に、コントロールパネルＢ１は、高気圧酸素カプセルＡ内への酸素供給を開始するための酸素供給用スタートボタンＢ１１、気密空間Ｓの圧力を設定するための圧力設定ダイヤルＢ１２、気密空間Ｓ内の圧力を表示するためのカプセル内圧力表示部Ｂ１３、気密空間Ｓ内の酸素濃度を表示するための酸素濃度表示部Ｂ１４、気密空間Ｓ内の圧力を減圧するためのエア抜きボタンＢ１５、制御回路の制御を緊急停止するための緊急停止ボタンＢ１６を有するに加え、高気圧酸素カプセルＡ内の使用者と通話するための電話機Ｂ１７と、時間を計測するためのタイマＢ１８とをさらに有している。
【００３０】
以上のように構成される高気圧酸素カプセルＡについて、その動作の一例を以下に述べる。
【００３１】
まず、蓋体２を開成位置（Ｐ１）に位置付けてカプセル本体１と蓋体２とを開成状態にしたうえで、カプセル本体１のマット１Ｍ上に使用者を横たわらせる。
【００３２】
次に、蓋体２を閉めてから、操作レバー４３を利用して、フック４１とアーム４２とを係り合わせる（図５参照）。そして、アーム４２を係止位置（Ｑ１）に位置付けるように操作を行うと、まず、カプセル本体１に設けた嵌合凹部１２１と、蓋体２に設けた嵌合凸部２１１とが、嵌り合い始めるとともに、嵌合凹部１２１内に配したシール部材３が、嵌合凹部１２１と嵌合凸部２１１と間で押し潰される始める。
【００３３】
そして、図６に示すように、アーム４２が係止位置（Ｑ１）に位置付けられて、蓋体２が閉塞位置（Ｐ２）になると、シール部材３は、嵌合凹部１２１と嵌合凸部２１１との間で押し潰され、好適なシール機能を発揮し得るようになる。この状態が、カプセル本体１と蓋体２とが閉塞する閉塞状態である。
【００３４】
このような閉塞状態で、酸素供給装置Ｂを操作して、高気圧酸素含有空気を供給し、カプセル本体１と蓋体２とで囲まれる内部空間を高気圧にしていくと、当該気圧酸素カプセル内外での圧力差が生じ始める。
【００３５】
しかしながら、このような圧力差が大きくなっても、嵌合凹部１２１と嵌合凸部２１１との間で押し潰されたシール部材３が、その圧力差によって位置がずれることもなく、これらの間から空気が漏れることを好適に防ぐことができる。
【００３６】
しかも、蓋体２に設けた内側膨出部２１２が、カプセル本体１に設けた内側窪部１２２に沿って配されているため、これらによっても好適なシール効果を得ることができる。
【００３７】
また、カプセル本体１と蓋体２とをＦＲＰ製としているため、このような高気圧による部材の変形が少ない。
【００３８】
加えて、高気圧による蓋体２自体の変形も、補強リブ２２により防がれる。
【００３９】
このように本実施形態にかかる高気圧酸素カプセルＡによれば、各縁部に設けた凹凸形状を利用しながらシール部材３を押圧しているので、例えば、内外の圧力差によってシール部材３の位置がずれてしまうことを防いで、縁部間からの空気漏れを好適に防止でき、また、剛体のカプセル本体１及び蓋体２によって気密空間Ｓの変形も無く出入りを容易に行え且つ気密空間Ｓ内に居るときも快適である等といった、高気圧で快適な気密空間Ｓを実現可能な優れた高気圧酸素カプセルＡを提供することができる。
【００４０】
すなわち、高気圧高酸素濃度で快適な気密空間Ｓを実現可能な優れた高気圧酸素カプセルＡを提供することができる。
【００４１】
なお、蓋体２に、外部の酸素供給装置Ｂから、高気圧の酸素を含有した高気圧酸素含有空気の供給を受けるための供給口を設けているので、酸素供給装置Ｂのメンテナンスを当該高気圧酸素カプセルＡとは独立して行うことができ、また、当該高気圧酸素カプセルＡの大型化重量化を防止して運搬や設置を容易にできるなど、酸素供給装置Ｂを一体としたものと比べて取扱性に優れたものとすることができる。
【００４２】
また、酸素供給装置Ｂが、高気圧で高濃度の酸素を含有した高気圧高濃度酸素含有空気を供給するので、例えば、高気圧下で高濃度酸素を必要とする医療分野などにも利活用することができる。
【００４３】
また、カプセル本体１および蓋体２を共にＦＲＰ製としているため、一般に流通している材料を使用してコストダウンを図りつつ強度を確保することができる。
【００４４】
また、蓋体２が、ＦＲＰ製の蓋側胴部２１とこの蓋側胴部２１を補強する複数の補強リブ２２とを具備しているので、軽量化を実現しながら、蓋側胴部２１の変形を防止して空気漏れを好適に防ぐことができる。
【００４５】
また、気密空間Ｓが、１人を収容し得る程度の大きさの空間としているため、高気圧酸素カプセルＡの無用な大型化を防止して取扱性を向上でき、また、酸素供給装置Ｂにおける無用な負荷がかかるのを防止することができる。
【００４６】
また、カプセル本体１側の凹凸形状と前記蓋体２側の凹凸形状とが、互いに嵌め合い可能な凹凸形状としているので、カプセル本体１側と蓋体２側とを嵌め合いしないものと比べて、より高気密なシール性能を奏することができる。
【００４７】
カプセル本体１の縁部が、シール部材３を保持する嵌合凹部１２１を有する一方、蓋体２の縁部が、嵌合凹部１２１の幅方向へがたつくことを規制されながらその嵌合凹部１２１に嵌まり込み得る嵌合凸部２１１を有するものであるので、簡単な構成でありながら、有効なシール効果を得られる。
【００４８】
カプセル本体１の縁部が、前記嵌合凹部１２１の内側に、前記嵌合凹部１２１の底面１２１ａよりもさらに窪ませた内側窪部１２２を有する一方、前記蓋体２の縁部が、前記嵌合凸部２１１の内側に、前記嵌合凸部２１１の先端２１１ａよりもさらに膨出させてなり且つ前記内側窪部１２２に沿って配され得る内側膨出部２１２を有するものとしているため、さらに有効なシール効果を得られる。
【００４９】
前記開閉操作部４が、フック４１と、このフック４１に係止され得るアーム４２と、このアーム４２を前記フック４１に係止または係止解除される位置に操作するための操作レバー４３と、この操作レバー４３を支持するベース４４とを備えるものであり、前記フック４１およびベース４４のうち一方をカプセル本体１に設け、他方を前記蓋体２に設けているので、操作レバー４３を操作してフック４１とアーム４２とを係止する位置に位置付ければ、例えば気密空間Ｓが高気圧になっても、フック４１とアーム４２とによってカプセル本体１と蓋体２との間に隙間が形成されることを防止できる。したがって、簡単な構成でありながら、気密空間Ｓ内の気圧を好適に保つことができる。
【００５０】
なお、本発明は前記実施形態に限られるものではない。
【００５１】
例えば、カプセル本体１と蓋体２とで形成される内部の気密空間Ｓが、横たわった成人を１人収容し得る程度の大きさの空間となるように、カプセル本体１及び蓋体２の寸法を設定してるが、例えば、椅子に腰掛けた成人を複数人収容する程度の空間とするなど、適宜変更可能である。
【００５２】
また、気密空間Ｓ内が高気圧高酸素濃度となるように構成しているが、この気密空間Ｓ内は高気圧であればよく、高濃度酸素を含むものとならなくても構わない。
【００５３】
また、気密空間Ｓを、横たわった成人を１人収容し得る程度の大きさの空間としているが、例えば、実験用のラット１又は数匹が入れる程度の空間とするなど、気密空間Ｓの大きさは任意で構わない。
【００５４】
また、カプセル本体１側の凹凸形状と前記蓋体２側の凹凸形状とを、互いに嵌め合い可能な凹凸形状としているが、これに限らず、嵌め合い可能でなくてもよい。例えば、凸同士間でシール部材を挟み込むといった態様としてもよい。
【００５５】
その他、各部の具体的構成についても上記実施形態に限られるものではなく、本発明の趣旨を逸脱しない範囲で種々変形が可能である。
【図面の簡単な説明】
【００５６】
【図１】本発明の一実施形態における高気圧酸素カプセルを示す全体斜視図。
【図２】同実施形態における高気圧酸素カプセルを示す正面図、平面図及び側面図。
【図３】同実施形態におけるカプセル本体の平面図及び縦断面図。
【図４】同実施形態における蓋体の断面図（図１におけるＸ１−Ｘ２断面）。
【図５】同実施形態における高気圧酸素カプセルの作用を説明するための作用説明図。
【図６】同実施形態における高気圧酸素カプセルの作用を説明するための作用説明図。
【図７】同実施形態における酸素供給装置の操作パネルを示す図。
【符号の説明】
【００５７】
Ａ・・・・・・高気圧酸素カプセル
Ｂ・・・・・・酸素供給装置
Ｓ・・・・・・気密空間
（Ｐ１）・・・開成位置
（Ｐ２）・・・閉塞位置
（Ｑ１）・・・係止位置
（Ｑ３）・・・係止解除位置
１・・・・・・本体（カプセル本体）
２・・・・・・蓋体
３・・・・・・シール部材
４・・・・・・開閉操作部
２１・・・・・蓋側胴部
２２・・・・・補強リブ
４１・・・・・フック
４２・・・・・アーム
４３・・・・・操作レバー
４４・・・・・ベース
１２１・・・・嵌合凹部
１２１ａ・・・嵌合凹部１２１の底面
１２２・・・・内側窪部
２１１・・・・嵌合凸部
２１１ａ・・・嵌合凸部２１１の先端
２１２・・・・内側膨出部
【図１】
2007202995.tif 000003
【図２】
2007202995.tif 000004
【図３】
2007202995.tif 000005
【図４】
2007202995.tif 000006
【図５】
2007202995.tif 000007
【図６】
2007202995.tif 000008
【図７】
2007202995.tif 000009